(57)【要約】【課題】緩衝材４を圧縮することにより、内軸１に対して外軸５を長手方向及び径方向に揺動可能に構成し、柔らかい筆記感で筆記できる筆記具の軸筒に適用できる。【解決手段】内軸１の把持部１Ａに軟質材で構成された緩衝材４を設ける。更に、緩衝材４より硬い材質で構成された外軸５の内面に前段５Ａと後段５Ｂを形成する。この外軸５を緩衝材４の外側に被せ、外軸５の前段５Ａと後段５Ｂに緩衝材４を接触させるとともに外軸５の内面に緩衝材４を接触させる。【選択図】図１
2011051269.tif 000002
【特許請求の範囲】
【請求項１】
筆記具の内軸と、内軸の把持部に設けられかつ軟質材で構成された緩衝材と、緩衝材の外側に被せられかつ緩衝材より硬い材質で構成された外軸とを有し、外軸の内面に前段と後段を形成し、前記外軸の前段と後段に緩衝材を接触させるとともに外軸の内面に緩衝材を接触させて、内軸に対して外軸を長手方向及び径方向に揺動可能に構成したことを特徴とする筆記具の軸筒。
【請求項２】
内軸の把持部に周方向に伸びた凹溝を前後に２つ形成し、この凹溝のそれぞれにリング状の緩衝材を取り付け、前記緩衝材を外軸の前段と後段に接触させるとともに外軸の内面に緩衝材を接触させたことを特徴とする請求項１記載の筆記具の軸筒。
【請求項３】
緩衝材の表面に周方向に伸びた突条を前後に２つ形成し、この突条を外軸の前段と後段に接触させるとともに外軸の内面に接触させたことを特徴とする請求項１記載の筆記具の軸筒。
【請求項４】
緩衝材の表面の前側に周方向等間隔に複数の前突部を形成するとともに、表面の後側に周方向等間隔に複数の後突部を形成し、この前突部を外軸の前段及び内面に接触させるとともに後突部を外軸の後段及び内面に接触させたことを特徴とする請求項１記載の筆記具の軸筒。
【請求項５】
筆記具の内軸と、内軸の把持部に設けられかつ軟質材で構成された緩衝材と、緩衝材の外側に被せられかつ緩衝材より硬い材質で構成された外軸とを有し、外軸の内面に内鍔を形成し、この内鍔の前端面は垂直に形成するとともに後端は傾斜面に形成し、かつ緩衝材に前突部と後突部を形成し、外軸の内鍔前端及び内面に緩衝材の前突部を接触させるとともに外軸の内面に緩衝材の後突部を接触させて、内軸に対して外軸を長手方向及び径方向に揺動可能に構成したことを特徴とする筆記具の軸筒。
【請求項６】
筆記具の内軸と、先部材及び内軸の把持部にそれぞれ設けられかつ軟質材で構成された複数の緩衝材と、緩衝材の外側に被せられかつ緩衝材より硬い材質で構成された外軸とを有し、外軸の内面に前段と後段を形成し、前記外軸の前段と後段に緩衝材を接触させるとともに外軸の内面に緩衝材を接触させて、内軸に対して外軸を長手方向及び径方向に揺動可能に構成したことを特徴とする筆記具の軸筒。
【請求項７】
先部材及び内軸の把持部に周方向に伸びた凹溝をそれぞれ形成し、この凹溝のそれぞれにリング状の緩衝材を取り付け、前記緩衝材を外軸の前段と後段に接触させるとともに外軸の内面に緩衝材を接触させたことを特徴とする請求項６記載の筆記具の軸筒。
【請求項８】
外軸を変形不能な非軟質材で構成したことを特徴とする請求項１乃至７のいずれか１項に記載の筆記具の軸筒。
【発明の詳細な説明】
【技術分野】
【０００１】
本発明は、ボールペン、シャープペンシル等の筆記具の軸筒において、内軸と外軸の間に軟質材で構成された緩衝材を設けた筆記具の軸筒に関する。
【背景技術】
【０００２】
従来、下グリップカバーの硬度を上グリップカバーの硬度と比較して小さくし、かつ下グリップカバーと軸筒とを同時成形した筆記具のグリップ構造が知られている。（特許文献１参照）
【０００３】
しかしながら、上記筆記具のグリップ構造は、筆記者の指先にフィットして長時間の筆記による疲労を予防する利点はあるが、内グリップカバーに対して外グリップカバーが長手方向に移動することは不可能であった。
【先行技術文献】
【特許文献】
【０００４】
【特許文献１】特開２００４−６６５６０号公報
【発明の概要】
【発明が解決しようとする課題】
【０００５】
解決しようとする問題点は、外グリップカバーが内グリップカバーに対して長手方向に揺動できず、筆記時において柔らかい筆記感を得ることが出来ない点である。
【課題を解決するための手段】
【０００６】
本発明は、筆記具の内軸と、内軸の把持部に設けられかつ軟質材で構成された緩衝材と、緩衝材の外側に被せられかつ緩衝材より硬い材質で構成された外軸とを有し、外軸の内面に前段と後段を形成し、前記外軸の前段と後段に緩衝材を接触させるとともに外軸の内面に緩衝材を接触させて、内軸に対して外軸を長手方向及び径方向に揺動可能に構成したことを第１の要旨とする。
【０００７】
また、内軸に周方向に伸びた凹溝を前後に２つ形成し、この凹溝のそれぞれにリング状の緩衝材を取り付け、前記緩衝材を外軸の前段と後段に接触させるとともに外軸の内面に緩衝材を接触させたことを第２の要旨とする。
【０００８】
更に、緩衝材の表面に周方向に伸びた突条を前後に２つ形成し、この突条を外軸の前段と後段に接触させるとともに外軸の内面に接触させたことを第３の要旨とする。
【０００９】
更にまた、緩衝材の表面の前側に周方向等間隔に複数の前突部を形成するとともに、表面の後側に周方向等間隔に複数の後突部を形成し、この前突部を外軸の前段及び内面に接触させるとともに後突部を外軸の後段及び内面に接触させたことを第４の要旨とする。
【００１０】
更にまた、筆記具の内軸と、内軸の把持部に設けられかつ軟質材で構成された緩衝材と、緩衝材の外側に被せられかつ緩衝材より硬い材質で構成された外軸とを有し、外軸の内面に内鍔を形成し、かつ緩衝材に前突部と後突部を形成し、外軸の内鍔前端及び内面に緩衝材の前突部を接触させるとともに外軸の内面に緩衝材の後突部を接触させて、内軸に対して外軸を長手方向及び径方向に揺動可能に構成したことを第５の要旨とする。
【００１１】
更にまた、筆記具の内軸と、先部材及び内軸の把持部にそれぞれ設けられかつ軟質材で構成された複数の緩衝材と、緩衝材の外側に被せられかつ緩衝材より硬い材質で構成された外軸とを有し、外軸の内面に前段と後段を形成し、前記外軸の前段と後段に緩衝材を接触させるとともに外軸の内面に緩衝材を接触させて、内軸に対して外軸を長手方向及び径方向に揺動可能に構成したことを第６の要旨とする。
【００１２】
更にまた、先部材及び内軸の把持部に周方向に伸びた凹溝をそれぞれ形成し、この凹溝のそれぞれにリング状の緩衝材を取り付け、前記緩衝材を外軸の前段と後段に接触させるとともに外軸の内面に緩衝材を接触させたことを第７の要旨とする。
【００１３】
更にまた、外軸を変形不能な非軟質材で構成したことを第８の要旨とする。
【発明の効果】
【００１４】
本発明の筆記具の軸筒は、内軸の把持部に設けられかつ軟質材で構成された緩衝材と、緩衝材の外側に被せられかつ緩衝材より硬い材質で構成された外軸とを有し、内軸に対して外軸が長手方向及び径方向に揺動することにより、筆記した時に柔らかい筆記感を得ることができる。
【図面の簡単な説明】
【００１５】
【図１】図１は本発明の実施例１の筆記具の軸筒を示す部分断面図である。（実施例１）
【図２】図２は図１の主要部を示す拡大部分断面図である。（実施例１）
【図３】図３は本発明の実施例２の筆記具の軸筒を示す主要部拡大部分断面図である。（実施例２）
【図４】図４は本発明の実施例３の筆記具の軸筒を示す主要部拡大部分断面図である。（実施例３）
【図５】図５は図４のＡ−Ａ線を示す拡大断面図である。（実施例３）
【図６】図６は本発明の実施例４の筆記具の軸筒を示す主要部拡大部分断面図である。（実施例４）
【発明を実施するための形態】
【００１６】
筆記時に外軸が長手方向及び径方向に揺動し、シャープペンシルやボールペンといった芯やペン先が硬い材質で構成されていても柔らかい筆記感を得ることができる筆記具の軸筒を実現した。
【実施例１】
【００１７】
以下、図１及び図２に基づいて本発明における実施例１の筆記具の軸筒を説明する。また、図１の左側を前方とし、右側を後方とする。先ず、内軸１の後部に後軸２が着脱可能に螺合され、この後軸２にクリップ３が一体に形成される。前記内軸１の把持部１Ａの前後に周方向に伸びた凹溝１Ｂを並列に２つ形成する。この内軸１の凹溝１Ｂに、ゴム等の軟質材からなるＯリングで構成された緩衝材４を２つ並列に嵌合させて取り付ける。また、合成樹脂製あるいは金属製で非軟質材の外軸５を構成する。尚、外軸５は緩衝材４より硬いゴム製で構成しても良い。更に、前記外軸５の内面に前段５Ａと後段５Ｂをそれぞれ形成するとともに、外軸５の後端に突起５Ｃを形成する。この外軸５を緩衝材４の外側に被せ、外軸５の前段５Ａ及び内面に前側の緩衝材４を接触させるとともに後段５Ｂ及び内面に後側の緩衝材４を接触させ、かつ外軸５の突起５Ｃを後軸２の切欠部２Ａに係合させる。尚、外軸５の突起５Ｃと後軸２の間には適度の隙間が構成される。従って、後軸２に対し外軸５は長手方向及び径方向には揺動可能となるが回動不能に構成される。
【００１８】
前記内軸１の前部に先部材６が着脱可能に螺合される。また、先部材６と外軸５、及び外軸５と後軸２の間に隙間が構成され、内軸１に対して外軸５を長手方向及び径方向に揺動可能に構成する。前記内軸１、緩衝材４、外軸５及び後軸２により筆記具の軸筒が構成される。
【００１９】
この筆記具の軸筒内には、従来一般的に知られているシャープペンシルの機構部やボールペンのレフィール等が内蔵され筆記具が構成される。
【００２０】
上記筆記具で筆記を行うと、緩衝材４が撓んで外軸５が長手方向に揺動するとともに、緩衝材４を圧縮して外軸５が径方向に揺動し、筆記した時に毛筆で筆記した様な柔らかい筆記感で筆記を行うことができる。また、外軸５を非軟質材で構成した場合には外軸５を強く保持しても外軸５が変形しないので、外軸５が確実に揺動することができる。
【実施例２】
【００２１】
次に、図３に基づいて本発明における実施例２の筆記具の軸筒を説明する。尚、図１と同一部材は同一の符号を付してその説明を省略する。先ず、ゴム等の軟質材からなる緩衝材１４の表面の前部及び後部に周方向に伸びた突条１４Ａを形成する。この緩衝材１４を内軸１１の把持部１１Ａに外嵌する。
【００２２】
更に、合成樹脂製あるいは金属製で非軟質材の外軸１５を構成する。尚、外軸１５は緩衝材１４より硬いゴム製で構成しても良い。この外軸１５に前段１５Ａと後段１５Ｂを形成する。この外軸１５を前記緩衝材１４の外側に外嵌し、外軸１５の前段１５Ａ及び内面に緩衝材１４の前側の突条１４Ａを接触させるとともに外軸１５の後段１５Ｂ及び内面に緩衝材１４の後側の突条１４Ａを接触させ、緩衝材１４に外軸１５を外れないように取り付ける。また、緩衝材１４は、外軸１５が揺動可能に構成するためにはゴム硬度を１５程度に構成することが好ましい。
【００２３】
前記内軸１１の前部に先部材１６が着脱可能に螺合される。また、先部材１６と外軸１５、及び外軸１５と後軸２の間に隙間が構成され、内軸１１に対して外軸１５を長手方向及び径方向に揺動可能に構成する。前記内軸１１、緩衝材１４、外軸１５及び後軸２により筆記具の軸筒が構成される。
【００２４】
上記筆記具で筆記を行うと、緩衝材１４の突条１４Ａが撓んで外軸１５が長手方向に揺動するとともに、緩衝材１４を圧縮して外軸１５が径方向に揺動し、筆記した時に毛筆で筆記した様な柔らかい筆記感で筆記を行うことができる。
【実施例３】
【００２５】
次に、図４及び図５に基づいて本発明における実施例３の筆記具の軸筒を説明する。尚、図１と同一部材は同一の符号を付してその説明を省略する。先ず、内軸２１の後部に後軸１２を一体成形により構成する。更に、内軸２１の把持部２１Ａに熱可塑性エラストマー等の軟質材からなる緩衝材２４を２色成型により構成する。更に、この緩衝材２４の表面の前部及び後部には周方向等間隔に前突部２４Ｂと後突部２４Ｃが形成される。
【００２６】
更に、合成樹脂製あるいは金属製で非軟質材の外軸２５を構成する。尚、外軸２５は緩衝材２４より硬いゴム製で構成しても良い。この外軸２５の前部内面に内鍔２５Ｄを形成し、この内鍔２５Ｄの前端面は垂直に形成されるとともに後端は傾斜面に形成される。
【００２７】
この外軸２５を前記内軸２１に２色成型で構成された緩衝材２４に前方より被せ、外軸２５の内鍔２５Ｄが緩衝材２４の前突部２４Ｂを乗り越えて取り付けられる。また、緩衝材２４の前突部２４Ｂが外軸２５の内鍔２５Ｄの前端と内面に接触するとともに、緩衝材２４の後突部２４Ｃが外軸２５の内面に接触する。更に、外軸２５の後端が後軸１２の段部１２Ｂに接触する。
【００２８】
前記内軸２１の前部に先部材６が着脱可能に螺合される。また、先部材６と外軸２５の間に隙間が構成され、内軸２１に対して外軸２５を長手方向前方及び径方向に揺動可能に構成する。前記内軸２１、緩衝材２４、外軸２５及び後軸１２により筆記具の軸筒が構成される。
【００２９】
この筆記具の軸筒内には、従来一般的に知られているシャープペンシルの機構部やボールペンのレフィール等が内蔵され筆記具が構成される。
【００３０】
上記筆記具で筆記を行うと、緩衝材２４の前突部２４Ｂが撓んで外軸２５が長手方向に揺動するとともに、緩衝材２４の前突部２４Ｂ及び後突部２４Ｃを圧縮して外軸２５が径方向に揺動し、筆記した時に毛筆で筆記した様な柔らかい筆記感で筆記を行うことができる。
【実施例４】
【００３１】
次に、図６に基づいて本発明における実施例４の筆記具の軸筒を説明する。尚、図１と同一部材は同一の符号を付してその説明を省略する。また、筆記具の軸筒内にシャープペンシルの機構部を内蔵した筆記具で説明する。先ず、内軸３１の後部に後軸２が着脱可能に螺合される。前記内軸３１の把持部３１Ａの後部に周方向に伸びた凹溝３１Ｂを形成する。この内軸３１の凹溝３１Ｂにゴム等の軟質材からなるＯリングで構成された緩衝材３４を嵌合して取り付ける。
【００３２】
また、合成樹脂製あるいは金属製で非軟質材の外軸３５を構成する。尚、外軸３５は緩衝材３４より硬いゴム製で構成しても良い。更に、前記外軸３５の内面に前段３５Ａと後段３５Ｂをそれぞれ形成するとともに、外軸３５の後端に突起３５Ｃを形成する。この外軸３５を緩衝材３４の外側に被せ、外軸３５の後段３５Ｂ及び内面に前記内軸３１に設けられた緩衝材３４を接触させ、かつ外軸３５の突起３５Ｃを後軸２の切欠部２Ａに係合させる。
【００３３】
更に、先部材２６の後部表面に周方向に伸びた凹溝２６Ａを形成し、この凹溝２６Ａにゴム等の軟質材からなるＯリングで構成された緩衝材３４を嵌合して取り付ける。
【００３４】
前記内軸にシャープペンシルの機構部を内蔵した後、内軸３１の前部に先部材２６を着脱可能に螺合する。更に、先部材２６の凹溝２６Ａに設けられた緩衝材３４を外軸３５の前段３５Ａ及び内面に接触させる。また、先部材２６の外面と外軸３５の内面の間に隙間が構成されるとともに、外軸３５と後軸２の間に隙間が構成され、内軸３１に対して外軸３５を長手方向及び径方向に揺動可能に構成する。前記内軸３１、緩衝材３４、外軸３５及び後軸２により筆記具の軸筒が構成される。
【００３５】
上記筆記具で筆記を行うと、緩衝材３４が撓んで外軸３５が長手方向に揺動するとともに、緩衝材３４を圧縮して外軸３５が径方向に揺動し、筆記した時に毛筆で筆記した様な柔らかい筆記感で筆記を行うことができる。
【００３６】
尚、本発明は上記実施例に限定されるものではなく、内軸、後軸、芯タンクといった部材は説明を簡略化するためにそれぞれ１個の部品として図示しているが、それぞれ２個以上の部品を螺合、嵌合して一体化すれば良い。更に、外径形状も図示のものに限定されないことは勿論である。
【産業上の利用可能性】
【００３７】
筆記時に、内軸と外軸の間に設けた緩衝材を圧縮させて内軸に対して外軸を揺動し、柔らかい筆記感で筆記できる筆記具の軸筒に適用できる。
【符号の説明】
【００３８】
１    内軸
１Ａ  内軸１の把持部
１Ｂ  内軸１の凹溝
４  緩衝材
５  外軸
５Ａ  外軸５の前段
５Ｂ  外軸５の後段
１１  内軸
１１Ａ  内軸１１の把持部
１４  緩衝材
１４Ａ  緩衝材１４の突条
１５  外軸
１５Ａ  外軸１５の前段
１５Ｂ  外軸１５の後段
２１  内軸
２１Ａ  内軸２１の把持部
２４  緩衝材
２４Ｂ  緩衝材２４の前突部
２４Ｃ  緩衝材２４の後突部
２５  外軸
２５Ｃ  外軸２５の内鍔
３１  内軸
３１Ａ  内軸３１の把持部
３１Ｂ  内軸３１の凹溝
３４  緩衝材
３５  外軸
３５Ａ  外軸３５の前段
３５Ｂ  外軸３５の後段
【図１】
2011051269.tif 000003
【図２】
2011051269.tif 000004
【図３】
2011051269.tif 000005
【図４】
2011051269.tif 000006
【図５】
2011051269.tif 000007
【図６】
2011051269.tif 000008